(57)【要約】  【課題】保護カバー本体に対する折曲げ片の折り曲げ作業を容易に行うことができ、しかもコイル状物の端部における円周の寸法に合わせた定寸の端部保護カバーを、包装すべきコイル状物の数に応じて予め準備し、現場で１枚ずつ多段に積載して運送、保管するような作業が不要となり、そのような端部保護カバーを連続的に製造することができる、コイル包装用の端部保護カバーの製造方法を提供することを課題とする。    【解決手段】長尺状の保護カバーシートの長手方向一側縁に、切欠部を隔てて多数の折曲片が連設された長尺で平板状の端部保護カバーを、巻き取られた状態から引き出し、前記端部保護カバーの折曲片を長尺状の保護カバーシートに対して折り曲げ、その後、折曲片が長尺状の保護カバーシートに対して折り曲げられた長尺状の端部保護カバーを、所定寸法に切断して、保護カバー本体に折曲片が折り曲げ連設された定寸の端部保護カバーを製造することを特徴とする。【選択図】図１３
2010247859.tif 000002
【特許請求の範囲】
【請求項１】
コイル状に巻回されたコイル状物を包材で包装するに際して、包装されるコイル状物の端部を保護するために使用される端部保護カバーの製造方法であって、長尺状の保護カバーシート（２ａ）の長手方向一側縁に、切欠部（５）を隔てて多数の折曲片（４）が連設された長尺で平板状の端部保護カバー（１ａ）を、巻き取られた状態から引き出し、前記端部保護カバー（１ａ）の折曲片（４）を長尺状の保護カバーシート（２ａ）に対して折り曲げ、その後、折曲片（４）が長尺状の保護カバーシート（２ａ）に対して折り曲げられた長尺状の端部保護カバー（１ａ）を、所定寸法に切断して、保護カバー本体（２）に折曲片（４）が折り曲げ連設された定寸の端部保護カバー（１）を製造することを特徴とする端部保護カバーの製造方法。
【請求項２】
長尺で平板状の端部保護カバー（１ａ）の折曲片（４）を長尺状の保護カバーシート（２ａ）に対して折り曲げる工程は、さらに、該折曲片（４）と長尺状の保護カバーシート（２ａ）とが所定の角度をなすように、該折曲片（４）と長尺状の保護カバーシート（２ａ）とを相互に内向きに押圧する第一押圧工程と、該第一押圧工程において折曲片（４）と長尺状の保護カバーシート（２ａ）とがなす角度よりも小さい角度をなすように、該折曲片（４）と長尺状の保護カバーシート（２ａ）とを相互に内向きに押圧する第二押圧工程を少なくとも含む請求項１記載の端部保護カバーの製造方法。
【請求項３】
第二押圧工程において折曲片（４）と長尺状の保護カバーシート（２ａ）とがなす角度よりも小さい角度をなすように、該折曲片（４）と長尺状の保護カバーシート（２ａ）とを相互に内向きに押圧する第三押圧工程をさらに含む請求項２記載の端部保護カバーの製造方法。
【請求項４】
折曲片（４）と長尺状の保護カバーシート（２ａ）とが所定の角度をなすように、相互に内向きに押圧する手段が、外周面が略Ｖ字状に突出して形成された凸ローラーと、該凸ローラーの外周面と嵌合しうるように外周面が略Ｖ字状に凹設されて前記凸ローラーに対面するように配置された凹ローラーとの間を通過させることによって押圧する手段である請求項２又は３記載の端部保護カバーの製造方法。
【請求項５】
保護カバーシート（２ａ）への折曲片（４）の折り曲げられた形状が、断面略Ｌ字状である請求項１乃至４のいずれかに記載の端部保護カバーの製造方法。
【請求項６】
コイル状に巻回されたコイル状物を包材で包装するに際して、包装されるコイル状物の端部を保護するために使用される端部保護カバーの製造方法であって、長尺状の保護カバーシート（２ａ）の長手方向一側縁に、切欠部（５）を隔てて多数の折曲片（４）が連設された長尺で平板状の端部保護カバー（１ａ）を、巻き取られた状態から引き出し、前記長尺で平板状の端部保護カバー（１ａ）を所定寸法に切断し、その後、切断された端部保護カバー（１ａ）の折曲片（４）を、切断された保護カバーシート（２ａ）に対して折り曲げて、保護カバー本体（２）に折曲片（４）が折り曲げ連設された定寸の端部保護カバー（１）を製造することを特徴とする端部保護カバーの製造方法。
【発明の詳細な説明】
【技術分野】
【０００１】
本発明は、金属製の線材や鉄板等、コイル状に巻回された鋼製品等のコイル状物を包装する際、その包装されたコイル状物の両端部を保護するために使用される端部保護カバーの折り曲げ部分を折り曲げて製造する製造方法に関するものである。
【背景技術】
【０００２】
従来、金属製の線材や鉄板等、コイル状に巻回された鋼製品等のコイル状物を包装する場合には、コイル状物の端部周面に長尺状の保護カバーを順次折り曲げながら装着し、次に、コイル状物の両側部を側板で覆い、その後、コイル状物の周面を長手方向に帯状のシートで覆い、コイル状物の全体を包装している。
【０００３】
しかし、この場合の包装材料であるシート、保護体、側板はいずれも紙製のものであり、梱包したコイルの両端の周端部を覆うシートや保護体に亀裂や破れが発生し、その結果コイルが裸出し、裸出したコイル部分に錆が発生する等の問題が生じていた。
【０００４】
そこで、このような問題を解決するため、本件特許出願人は下記特許文献１及び２のような特許出願をし、いずれも特許されるに至った。この特許文献１及び２に係る発明は、鉄板巻回コイルの端部保護カバーに関するもので、当該端部保護カバーは、合成樹脂製の帯状の保護カバー本体と、該保護カバー本体の長手方向の側端縁に沿って一体に並設された複数の折曲げ片とから構成されたものである。
【０００５】
そして、鉄板巻回コイルを梱包する際、端部保護カバーの保護カバー本体を鉄板巻回コイルの一端部周面の周方向に沿って巻回し、その後、各折曲げ片を、鉄板巻回コイルの径方向、すなわち保護カバー本体に対して直角の方向に折り曲げ、鉄板巻回コイルの端面を覆い、鉄板巻回コイルの一端部周面及び端面を保護している。
【０００６】
しかしながら、このような端部保護カバーは、帯状の保護カバー本体を鉄板巻回コイルの一端部周面の周方向に沿って折り曲げようとすると、長尺の保護カバー本体が合成樹脂製であるため、復元力を持ち、その結果、折り曲げにくく、保護カバー本体の全面を鉄板巻回コイルの一端部周面に一様に当接させるのが困難となっていた。
【０００７】
上記特許文献１に係る発明では、このような問題を、保護カバー本体又は折曲げ片に貫通孔を穿設することによって解決し、特許文献２に係る発明では、保護カバー本体と折曲げ片との連結部に切込部を形成することによって解決しているが、端部保護カバー全体の強度維持の観点からは、本来このような貫通孔や切込部は、形成されない方がよいものである。
【０００８】
さらに、このような端部保護カバーは、巻回コイルの端部における円周の寸法に合わせた定寸のものを予め準備しなければならず、包装すべき巻回コイルが複数ある場合には、その数に応じた端部保護カバーを予め所定寸法に切断して準備しておく必要があるので、そのような端部保護カバーを製造する作業を合理的に行うことができなかった。また、所定寸法の端部保護カバーを現場で１枚ずつ多段に積載して運送、保管するような作業が必要であり、そのような作業に手間がかかることとなっていた。
【先行技術文献】
【特許文献】
【０００９】
【特許文献１】特許第３０９１７３６号公報
【特許文献２】特許第３５１５５２８号公報
【発明の概要】
【発明が解決しようとする課題】
【００１０】
本発明は、このような問題点を解決するためになされたもので、保護カバー本体に対する折曲げ片の折り曲げ作業を容易に行うことができ、しかもコイル状物の端部における円周の寸法に合わせた定寸の端部保護カバーを、包装すべきコイル状物の数に応じて予め準備し、現場で１枚ずつ多段に積載して運送、保管するような作業が不要となり、そのような端部保護カバーを連続的に製造することができる、コイル包装用の端部保護カバーの製造方法を提供することを課題とする。
【課題を解決するための手段】
【００１１】
本発明は、このような課題を解決するために、コイル状に巻回されたコイル状物を包材で包装するに際して、包装されるコイル状物の端部を保護するために使用される端部保護カバーの製造方法であって、長尺状の保護カバーシートの長手方向一側縁に、切欠部を隔てて多数の折曲片が連設された長尺で平板状の端部保護カバーを、巻き取られた状態から引き出し、前記端部保護カバーの折曲片を長尺状の保護カバーシートに対して折り曲げ、その後、折曲片が長尺状の保護カバーシートに対して折り曲げられた長尺状の端部保護カバーを、所定寸法に切断して、保護カバー本体に折曲片が折り曲げ連設された定寸の端部保護カバーを製造することを特徴とする端部保護カバーの製造方法を提供するものである。
【００１２】
このような端部保護カバーの製造方法の、長尺で平板状の端部保護カバーの折曲片を長尺状の保護カバーシートに対して折り曲げる工程は、さらに、該折曲片と長尺状の保護カバーシートとが所定の角度をなすように、該折曲片と長尺状の保護カバーシートとを相互に内向きに押圧する第一押圧工程と、該第一押圧工程において折曲片と長尺状の保護カバーシートとがなす角度よりも小さい角度をなすように、該折曲片と長尺状の保護カバーシートとを相互に内向きに押圧する第二押圧工程とを少なくとも含むことができる。
【００１３】
また、この長尺状の端部保護カバーの折曲片を長尺状の保護カバーシートに対して折り曲げる工程では、前記第一押圧工程及び第二押圧工程とは別に、前記第二押圧工程において折曲片と長尺状の保護カバーシートとがなす角度よりも小さい角度をなすように、該折曲片と長尺状の保護カバーシートとを相互に内向きに押圧する第三押圧工程をさらに含むことができる。
【００１４】
折曲片と長尺状の保護カバーシートとが所定の角度をなすように、相互に内向きに押圧する手段として、たとえば、外周面が略Ｖ字状に突出して形成された凸ローラーと、該凸ローラーの外周面と嵌合しうるように外周面が略Ｖ字状に凹設されて前記凸ローラーに対面するように配置された凹ローラーとの間を通過させることによって押圧するような手段を採用することができる。
【００１５】
保護カバーシートへの折曲片の折り曲げられる形状は、たとえば断面略Ｌ字状に形成される。さらに、長尺で平板状の端部保護カバーを所定寸法に切断した後に、切断された端部保護カバーの折曲片を、切断された保護カバーシートに対して折り曲げて、保護カバー本体に折曲片が折り曲げ連設された定寸の端部保護カバーを製造することも可能である。
【発明の効果】
【００１６】
本発明は、上述のように、コイル状に巻回されたコイル状物を包材で包装するに際して、包装されるコイル状物の端部を保護するために使用される端部保護カバーの製造方法であって、長尺状の保護カバーシートの長手方向一側縁に、切欠部を隔てて多数の折曲片が連設された長尺で平板状の端部保護カバーを、巻き取られた状態から引き出し、前記端部保護カバーの折曲片を長尺状の保護カバーシートに対して折り曲げ、その後、折曲片が長尺状の保護カバーシートに対して折り曲げられた長尺状の端部保護カバーを、所定寸法に切断して、保護カバー本体に折曲片が折り曲げ連設された定寸の端部保護カバーを製造する方法であるため、定寸の端部保護カバーが連続的に製造されることとなり、従来のように、所定寸法の端部保護カバーを予め準備し、現場で１枚ずつ多段に積載して運送、保管するような作業が不要になるという効果がある。
【００１７】
また、長尺状の端部保護カバーの折曲片を長尺状の保護カバーシートに対して折り曲げる工程が、さらに、該折曲片と長尺状の保護カバーシートとが所定の角度をなすように、相互に内向きに押圧する第一押圧工程と、該第一押圧工程において折曲片と長尺状の保護カバーシートとがなす角度よりも小さい角度をなすように、相互に内向きに押圧する第二押圧工程とを少なくとも含む場合には、第一押圧工程において折曲片と長尺状の保護カバーシートとを押圧した後、さらに第二押圧工程において第一押圧工程よりも強い押圧力で段階的に押圧することとなるので、折り曲げ片を保護カバー本体に対して好適に折り曲げることができるという効果がある。
【００１８】
さらに、上記のような第一押圧工程及び第二押圧工程のみならず、第二押圧工程において折曲片と長尺状の保護カバーシートとがなす角度よりも小さい角度をなすように、相互に内向きに押圧する第三押圧工程をさらに含む場合には、折曲片と長尺状の保護カバーシートとがなす角度が異なる３段階の押圧力で折曲片と長尺状の保護カバーシートとが押圧されることとなるので、より好適に折り曲げることができるという効果がある。
【００１９】
さらに、折曲片と長尺状の保護カバーシートとが所定の角度をなすように、相互に内向きに押圧する手段として、たとえば、外周面が略Ｖ字状に突出して形成された凸ローラーと、該凸ローラーの外周面と嵌合しうるように外周面が略Ｖ字状に凹設されて前記凸ローラーに対面するように配置された凹ローラーとの間を通過させることによって押圧するような手段を採用した場合には、長尺状で且つ平板状の端部保護カバーを、上記のような凸ローラーと凹ローラーとの間を通過させるだけの作業で、折り曲げ片と保護カバー本体との外側から力を加えて折り曲げるのと同様の作用を生じさせることができる。
【００２０】
しかも、このような凸ローラーと凹ローラーからなる折り曲げ用ローラーを用いる場合において、上記のように第一押圧工程、第二押圧工程、第三押圧工程を実施するための、傾斜角度の異なる折り曲げ用ローラーを３対準備する場合であれば、折り曲げ用ローラーの数が極端に多いわけではないので、傾斜角度がそれぞれ異なる３対の折り曲げ用ローラーを装置に具備させたとしても、そのような装置の構造が大型化、複雑化することもなく、またこのような装置のコストが極端に高くなることもない。
【図面の簡単な説明】
【００２１】
【図１】本発明の製造方法で製造される定寸の端部保護カバーの概略正面図。
【図２】長尺状の端部保護カバーを準備する工程を示す概略正面図。
【図３】巻き取られた長尺状の端部保護カバーを引き出す状態を示す概略斜視図。
【図４】長尺状の端部保護カバーの概略平面図。
【図５】本発明の製造方法に用いる装置の概略正面図。
【図６】本発明の製造方法に用いる装置の概略平面図。
【図７】図５のＡ方向から見た状態の装置の側面図。
【図８】図７の折り曲げ用ローラーを通過させた長尺状の端部保護カバーが折り曲げられる状態を示す斜視図。
【図９】図５のＢ方向から見た状態の側面図。
【図１０】図９の折り曲げ用ローラーを通過させた長尺状の端部保護カバーが折り曲げられる状態を示す斜視図。
【図１１】図５のＣ方向から見た状態の側面図。
【図１２】図１１の折り曲げ用ローラーを通過させた長尺状の端部保護カバーが折り曲げられる状態を示す斜視図。
【図１３】長尺状の端部保護カバーを所定寸法に切断する工程の概略平面図。
【図１４】図１３のＤ−Ｄ線拡大断面図。
【図１５】他実施形態の長尺状の端部保護カバーの概略平面図。
【発明を実施するための形態】
【００２２】
以下、本発明の実施形態について説明する。先ず、本発明のコイル包装用の端部保護カバーの製造方法について説明するに先立ち、対象となるコイル包装用の端部保護カバーについて説明する。
【００２３】
本発明の製造方法によって製造される端部保護カバー１は、図１に示すように、合成樹脂製の帯状の保護カバー本体２と、該保護カバー本体２に連設部３を介して合成樹脂にて一体成形された略台形状の複数の折曲片４とによって構成されている。折曲片４が略台形状に形成されているために、複数の折曲片４、・・・間には、略Ｖ字状の複数の切欠部５、・・・が形成されている。
【００２４】
次に、このような構成からなる端部保護カバー１を製造するために、長尺状の端部保護カバー１ａを準備する工程を、図２に従って概略的に説明すると、先ず製造される端部保護カバーの原料となる合成樹脂をホッパー６に投入し、押出機７から押し出して長尺状且つ平板状のシートを成形し、押えロール８へ供給する。押えロール８では、後述する長尺状の保護カバー本体２ａと折曲片４との間の連設部３となる位置に溝を形成する。押出成形された長尺状のシートを、押えロール８を通過させた後、冷却水機９へ供給して冷却する。
【００２５】
次に、長尺状のシートを引き取り機１０へ供給した後、Ｖカット打ち抜き機１１へ供給し、上記略Ｖ字状の切欠き部５を形成する。これによって上記複数の折曲片４、・・・が形成されることとなり、図３及び図４に示すように、長尺状の保護カバー本体２ａに連設部３を介して複数の折曲片４が形成された長尺且つ平板状の端部保護カバー１ａが製造されることとなる。そして、製造された長尺状の端部保護カバー１ａは、巻き取り用リール等の巻取具１２へ供給されて巻き取られる。
【００２６】
このようにして巻き取られた長尺状の端部保護カバー１ａから、定寸の端部保護カバー１を製造する方法について次に説明する。
【００２７】
先ず、このような定寸の端部保護カバーを製造する装置の構成について説明する。本実施形態の製造装置には、図５及び図６に示すように、３対の折り曲げ用ローラー、すなわち、第１折り曲げ用ローラー１３、第２折り曲げ用ローラー１４、及び第３折り曲げ用ローラー１５が具備されている。また、これら３対の折り曲げ用ローラーへ端部保護カバー１を供給するための供給用ローラー１６が具備されている。
【００２８】
３対の折り曲げ用ローラー１３、１４、１５は、上側の凸ローラー１３ａ、１４ａ、１５ａと、下側の凹ローラー１３ｂ、１４ｂ、１５ｂとで構成されている。凸ローラー１３ａ、１４ａ、１５ａの外周面は略Ｖ字状に突出して形成されているとともに、凹ローラー１３ｂ、１４ｂ、１５ｂの外周面は略Ｖ字状に凹設されている。そして、前記凸ローラー１３ａ、１４ａ、１５ａの略Ｖ字状に突出した外周面と、前記凹ローラー１３ｂ、１４ｂ、１５ｂの略Ｖ字状に凹設された外周面は、相互に嵌合されうるように、それぞれ略Ｖ字状に突出若しくは凹設された先端部の角度がほぼ同じ角度となるように形成されている。
【００２９】
そして、突出若しくは凹設された先端部の角度は、第１折り曲げ用ローラー１３、第２折り曲げ用ローラー１４、及び第３折り曲げ用ローラー１５の順に大きくなっている。このことは、先端部のなす角度が、第３折り曲げ用ローラー１５、第２折り曲げ用ローラー１４、第１折り曲げ用ローラー１３の順に小さく鋭利であることを意味している。先端部の角度が鋭利であるほど、各ローラーの外周面が平坦であると仮想した場合の仮想水平線と、突出若しくは凹設された各ローラーの外周面とのなす角度である外周面傾斜角度は大きくなる。
【００３０】
本実施形態においては、図７、図９、図１１に示すように、第１折り曲げ用ローラー１３の凸ローラー１３ａ若しくは凹ローラー１３ｂの外周面の傾斜線２５と仮想水平線２６とのなす角度が１５度となるように外周面が形成されており、従って、該略Ｖ字状に突出された凸ローラー１３ａ若しくは略Ｖ字状に凹設された凹ローラー１３ｂの先端部のなす角度は１５０度となる。また、第２折り曲げ用ローラー１４の凸ローラー１４ａ若しくは凹ローラー１４ｂの外周面の傾斜線２５と仮想水平線２６とのなす外周面傾斜角度が３２度となるように外周面が形成されており、従って、該略Ｖ字状に突出された凸ローラー１４ａ若しくは略Ｖ字状に凹設された凹ローラー１４ｂの先端部のなす角度は１１６度となる。また、第３折り曲げ用ローラー１５の凸ローラー１５ａ若しくは凹ローラー１５ｂの外周面２５と仮想水平線２６とのなす角度が４８度となるように外周面が形成されており、従って、該略Ｖ字状に突出された凸ローラー１５ａ若しくは略Ｖ字状に凹設された凹ローラー１５ｂの先端部のなす角度は８４度となる。
尚、供給用ローラー１６の上側のローラー１６ａと下側のローラー１６ｂの外周面は、平坦に形成されている。
【００３１】
さらに、製造装置には、駆動源となるインバータ１７も具備されており、このインバータ１７と供給用ローラー１６にはベルト１８が掛け回されている。また、供給用ローラー１６と第１折り曲げ用ローラー１３間、第１折り曲げ用ローラー１３と第２折り曲げ用ローラー１４間、第２折り曲げ用ローラー１４と第３折り曲げ用ローラー１５間にもそれぞれベルト１９、２０、２１が掛け回されている。また、２２は架台、２３は前記各ローラーを取り付ける取付体で、前記架台２２上に立設されている。さらに、２４は前記供給用ローラー１６へ端部保護カバー１を供給するためのガイド体を示す。
【００３２】
次に、このような製造装置を用いて、定寸の端部保護カバー１を製造する方法について説明する。
【００３３】
先ず、図２に示す巻取具１２に巻き取られていた長尺状の端部保護カバー１ａを、図３に示すように巻取具１２から引き出し、図５及び図６に示すガイド体２４を介して供給用ローラー１６へ供給する。供給された長尺且つ平板状の端部保護カバー１ａは、供給用ローラー１６の上下のローラー１６ａ、１６ｂ間を通過するが、供給用ローラー１６の上下のローラー１６ａ、１６ｂの外周面は平坦に形成されているので、この段階では、端部保護カバー１は未だ折り曲げられない。
【００３４】
そして、長尺状の端部保護カバー１ａは、供給用ローラー１６を通過した後、第１折り曲げ用ローラー１３へ供給され、上下の凸ローラー１３ａ及び凹ローラー１３ｂ間を通過する。このとき、図７に示すように、凸ローラー１３ａ又は凹ローラー１３ｂの外周面２５と仮想水平線２６とのなす外周面傾斜角度が１５度となるように外周面が形成されているので、長尺状の端部保護カバー１ａが上下の凸ローラー１３ａ、凹ローラー１３ｂ間を通過するとき、図８に示すように、長尺状の端部保護カバー１ａの折曲片４が、長尺状の保護カバー本体２ａに対して１５０度の角度をなすように折り曲げようとする力が作用する。ただし、長尺状の端部保護カバー１ａは合成樹脂で構成されて可撓性を有しているため、折り曲げ力に対する復元力も生じ、この時点で折曲片４が長尺状の保護カバー本体２ａに対して１５０度の角度で折り曲げられた状態が維持されるわけではない。
【００３５】
次に、第１折り曲げ用ローラー１３の凸ローラー１３ａ及び凹ローラー１３ｂ間を通過した後、長尺状の端部保護カバー１ａは、第２折り曲げ用ローラー１４へ供給され、上下の凸ローラー１４ａ及び凹ローラー１４間を通過する。このとき、図９に示すように、第２折り曲げ用ローラー１４の凸ローラー１４ａ又は凹ローラー１４ｂの外周面２５と仮想水平線２６とのなす外周面傾斜角度が３２度となるように外周面が形成されているので、長尺状の端部保護カバー１ａが上下の凸ローラー１４ａ、凹ローラー１４ｂ間を通過するとき、図１０に示すように、長尺状の端部保護カバー１ａの折曲片４が、長尺状の保護カバー本体２ａに対して１１６度の角度をなすように折り曲げようとする力が作用する。長尺状の端部保護カバー１ａが可撓性を有するので、この時点においても、折曲片４が長尺状の保護カバー本体２に対して１１６度の角度で折り曲げられた状態が維持されるわけではない。
【００３６】
しかしながら、長尺状の端部保護カバー１ａは、外周面２５と仮想水平線２６とのなす外周面傾斜角度が１５度となるように形成された第１折り曲げ用ローラー１３の凸ローラー１３ａ及び凹ローラー１３ｂ間を通過した後、外周面２５と仮想水平線２６とのなす角度が３２度となるように形成された第２折り曲げ用ローラー１４の凸ローラー１４ａ、凹ローラー１４ｂ間を通過するため、長尺状の端部保護カバー１ａに対しては、折曲片４と長尺状の保護カバー本体２ａとのなす角度が１５０度となるような折り曲げ力が最初に作用し、その後に折曲片４と長尺状の保護カバー本体２ａとのなす角度が１１６度となるような折り曲げ力が作用するので、長尺状の端部保護カバー１ａに対しては、第１折り曲げ用ローラー１３の凸ローラー１３ａ及び凹ローラー１３ｂ間を通過するときに比べて、第２折り曲げ用ローラー１４の凸ローラー１４ａ及び凹ローラー１４ｂ間を通過するときに、より強い力で折り曲げられるのと同様の作用が生じることとなる。従って、長尺状の端部保護カバー１ａは、可撓性を有し、復元力を有するとはいえ、第２折り曲げ用ローラー１４の凸ローラー１４ａ及び凹ローラー１４ｂを通過した時点では、ある程度折り曲げられた状態となっている。
【００３７】
さらに、第２折り曲げ用ローラー１４の凸ローラー１４ａ及び凹ローラー１４ｂ間を通過した後、長尺状の保護カバー１ａは、第３折り曲げ用ローラー１５へ供給され、上下の凸ローラー１５ａ及び凹ローラー１５ｂ間を通過する。このとき、図１１に示すように、第３折り曲げ用ローラーの凸ローラー１５ａ又は凹ローラー１５ｂの外周面２５と仮想水平線２６とのなす外周面傾斜角度が４８度となるように外周面が形成されているので、長尺状の端部保護カバー１ａが上下の凸ローラー１５ａ及び凹ローラー１５ｂ間を通過するとき、図１２に示すように、長尺状の端部保護カバー１ａの折曲片４が、長尺状の保護カバー本体２ａに対して８４度の角度をなすように折り曲げようとする力が作用する。長尺状の端部保護カバー１ａが可撓性を有するので、この場合においても、折曲片４が長尺状の保護カバー本体２ａに対して８４度の角度で折り曲げられた状態が維持されるわけではない。
【００３８】
しかしながら、長尺状の端部保護カバー１は、上記のように外周面２５と仮想水平線２６とのなす外周面傾斜角度が１５度となるように形成された第１折り曲げ用ローラー１３の凸ローラー１３ａと凹ローラー１３ｂ間を通過した後、外周面２５と仮想水平線２６とのなす外周面傾斜角度が３２度となるように形成された第２折り曲げ用ローラー１４の凸ローラー１４ａ及び凹ローラー１４ｂ間を通過し、さらに外周面２５と仮想水平線２６とのなす外周面傾斜角度が４８度となるように形成された第３折り曲げ用ローラー１５の凸ローラー１５ａ及び凹ローラー１５ｂ間を通過するので、長尺状の端部保護カバー１ａに対しては、折曲片４と長尺状の保護カバー本体２ａとのなす角度が最初には１５０度となるような折り曲げ力が作用し、次に１１６度となるような折り曲げ力が作用し、最後に８４度となるような折り曲げ力が作用するので、長尺状の端部保護カバー１ａは３段階の異なる角度で、しかも段階を経るごとに鋭利な角度で折り曲げられることとなり、折曲片４と長尺状の保護カバー本体２ａとのそれぞれ外側から徐々に強い力を加えて折り曲げるのと同様の作用が生じることとなる。従って、長尺状の端部保護カバー１ａは、可撓性を有し、復元力を有するものであるにもかかわらず、３段階の異なる角度の折り曲げ用ローラー間を通過させることによって、折曲片４が長尺状の保護カバー本体２ａに対して好適に折り曲げられることとなる。
【００３９】
上述のように、長尺状の端部保護カバー１ａを、第１折り曲げ用ローラー１３、第２折り曲げ用ローラー１４、第３折り曲げ用ローラー１５の凸ローラー１３ａ、１４ａ、１５ａ及び凹ローラー１３ｂ、１４ｂ、１５ｂを通過させた後、長尺状の端部保護カバー１ａを、図１３に示すように、所定の寸法に順次切断する。この所定の寸法とは、包装すべきコイル状物、たとえば金属線や鉄板等を巻回したコイル状物を包材で包装した端部の円周の寸法に対応する寸法である。
【００４０】
このように長尺状の端部保護カバー１を所定の寸法に順次切断することによって、所定の寸法の端部保護カバー１が、順次連続的に得られることとなる。切断後の端部保護カバー１の断面形状は、図１４に示すように、断面略Ｌ字状となる。
【００４１】
以上のように、本実施形態においては、外周面２５と仮想水平線２６とのなす外周面傾斜角度が段階的に異なる３種類の折り曲げ用ローラー１３、１４、１５を用い、しかもそれら３種類の折り曲げ用ローラー１３、１４、１５は、上部の凸ローラー１３ａ、１４ａ、１５ａの外周面が略Ｖ字状に突出し、下部の凹ローラー１３ｂ、１４ｂ、１５ｂの外周面が略Ｖ字状に凹設されたもので、それらの外周面が相互に嵌合されうるように形成された３対のものであるので、長尺状の端部保護カバー１ａをこれら３対の折り曲げ用ローラー１３、１４、１５間に順次通過させるだけで、折曲片４と長尺状の保護カバー本体２ａとのそれぞれ外側から徐々に強い力を加えて折り曲げるのと同様の作用が自動的に生じることとなり、折曲片４が長尺状の保護カバー本体２ａに対して好適に折り曲げられることとなるのである。
【００４２】
また、長尺状の端部保護カバー１ａは、長尺状のものであり、これを当初は巻取具１２で巻き取り、これを順次引き出して上記のように３対の折り曲げ用ローラー１３、１４、１５を順次通過させた後、切断して所定寸法の端部保護カバー１が順次得られることとなり、所定寸法の端部保護カバー１を予め準備し、現場で１枚ずつ多段に積載して運送、保管するような作業を行う必要もないのである。
【００４３】
尚、上記実施形態では、長尺で平板状の端部保護カバーを巻き取られた状態から引き出しながら、端部保護カバーの折曲片を長尺状の保護カバーシートに対して折り曲げたが、これに限らず、巻き取られた状態から引き出した後に、端部保護カバーの折曲片を長尺状の保護カバーシートに対して折り曲げることも可能である。
すなわち、巻き取られた長尺状で平板状の端部保護カバーを引き出して移送しながら折り曲げ作業を連続的に行うことが可能であるとともに、端部保護カバーを引き出した後、移送を停止して折り曲げ作業を間欠的に行うことも可能である。
【００４４】
要は、連続的、間欠的を問うことなく、長尺で平板状の端部保護カバーを、巻き取られた状態から引き出し、前記端部保護カバーの折曲片を長尺状の保護カバーシートに対して折り曲げ、その後、折曲片が長尺状の保護カバーシートに対して折り曲げられた長尺状の端部保護カバーを、所定寸法に切断して、保護カバー本体に折曲片が折り曲げ連設された定寸の端部保護カバーが製造されればよいのである。
【００４５】
また、上記実施形態では、長尺で平板状の端部保護カバーの折曲片を長尺状の保護カバーシートに対して折り曲げた後に、折り曲げられた長尺状の端部保護カバーを所定寸法に切断したが、これとは逆に、端部保護カバーを所定寸法に切断した後に、切断された端部保護カバーの折曲片を保護カバーシートに対して折り曲げることによって、保護カバー本体に折曲片が折り曲げ連設された定寸の端部保護カバーを製造することも可能である。
【００４６】
さらに、上記実施形態では、折り曲げ用ローラーとして、３対の第１折り曲げ用ローラー１３、第２折り曲げ用ローラー１４、及び第３折り曲げ用ローラー１５を用いたが、折り曲げ用ローラーの数は該実施形態の３対に限定されるものではなく、たとえば２対であってもよい。ただし、折り曲げ用ローラーの数は多いほど、長尺状の端部保護カバー１ａに対してスムーズな折り曲げ力が作用することとなる。
【００４７】
一方、折り曲げ用ローラーの対数が多くなるほど、装置の構成も複雑化し、また端部保護カバーの製造作業を行うコストも高くなるので、これらを防止することと、折り曲げ作業を適格且つ円滑に行うこととの双方の観点からは、上記実施形態のように、３対の折り曲げ用ローラーを用いることが望ましい。
【００４８】
さらに、折り曲げ後に、熱によって端部保護カバーを硬化させることも可能である。これによって、折曲片が保護カバーシートに対して折り曲げられた状態が維持されることとなる。
【００４９】
また、上記実施形態では、端部保護カバーの折曲片４が台形状に形成されていたが、折曲片４の形状は該実施形態に限定されるものではなく、たとえば図１５に示すように略長方形状のものであってもよく、また三角形状であってもよく、その形状は問わない。要は、端部保護カバーを、巻回コイル状物の端部周面に容易に巻回できる形状であればよい。
【００５０】
さらに、上記実施形態では、端部保護カバー１の材質として合成樹脂製のものが用いられていたが、端部保護カバー１の材質はこれに限定されず、たとえば厚紙等の紙製のものを用いることも可能である。ただし、端部保護カバー１を合成樹脂で成形している場合には、軽量で、製作加工が容易であることに加え、耐水性および耐衝撃性や耐強度性に優れており、運搬時の振動、落下等の衝撃による端部保護カバー１の亀裂や破れを防止できるという利点がある。
【００５１】
尚、本発明では、上記のような折り曲げ用ローラーを用いて長尺状の保護カバー本体２ａに対して折曲片４を折り曲げる作業を行ったが、これ以外の手段により保護カバー本体２ａに対して折曲片４を折り曲げることも本発明の範囲に含むものである。要は、長尺状の保護カバーシートの長手方向側縁に、切欠部を隔てて多数の折曲片が連設された長尺状の端部保護カバーを準備して巻取具に巻き取り、次に、巻き取られた長尺状の端部保護カバーを引き出して、長尺状の端部保護カバーの折曲片を長尺状の保護カバーシートに対して折り曲げ、その後、折曲片が長尺状の保護カバーシートに対して折り曲げられた長尺状の端部保護カバーを、所定寸法に切断して、保護カバー本体に折曲片が連設された定寸の端部保護カバーが製造されればよいのである。
【符号の説明】
【００５２】
１  端部保護カバー
１ａ  長尺状の端部保護カバー
２  保護カバー本体
２ａ  長尺状の保護カバー本体
４  折曲片
５  切欠部
１２  巻取具
１３  第１折り曲げ用ローラー
１４  第２折り曲げ用ローラー
１５  第３折り曲げ用ローラー
【図１】
2010247859.tif 000003
【図２】
2010247859.tif 000004
【図３】
2010247859.tif 000005
【図４】
2010247859.tif 000006
【図５】
2010247859.tif 000007
【図６】
2010247859.tif 000008
【図７】
2010247859.tif 000009
【図８】
2010247859.tif 000010
【図９】
2010247859.tif 000011
【図１０】
2010247859.tif 000012
【図１１】
2010247859.tif 000013
【図１２】
2010247859.tif 000014
【図１３】
2010247859.tif 000015
【図１４】
2010247859.tif 000016
【図１５】
2010247859.tif 000017